(57)【要約】【課題】従来よりも高い耐圧を有する高耐圧半導体装置を提供する。【解決手段】高電圧スイッチング素子用制御信号を生成する高電圧回路４０と、高電圧回路４０から突出するように形成され、高電圧回路用制御信号を生成するための高耐圧ＭＯＳＦＥＴ５０と、高電圧回路４０と高耐圧ＭＯＳＦＥＴ５０との間に位置する境界領域６０とを備え、高電圧回路４０、高耐圧ＭＯＳＦＥＴ５０及び境界領域６０がいずれも同一の浮遊島領域３０に形成され、浮遊島領域３０の周辺部にはリサーフ領域７０が形成されている高耐圧半導体装置であって、境界領域６０においては、浮遊島領域３０の周辺部Ａｐと当該周辺部に挟まれた内側領域Ａｉとのうち内側領域Ａｉにおいてもリサーフ領域７０が形成されている高耐圧半導体装置１。【選択図】図４
2014045045.tif 000002
【特許請求の範囲】
【請求項１】
高電圧スイッチング素子に供給する高電圧スイッチング素子用制御信号を生成する高電圧回路と、
前記高電圧回路から突出するように形成され、前記高電圧回路に供給する高電圧回路用制御信号を生成するための高耐圧ＭＯＳＦＥＴと、
前記高電圧回路と前記高耐圧ＭＯＳＦＥＴとの間に位置する境界領域とを備え、
前記高電圧回路、前記高耐圧ＭＯＳＦＥＴ及び前記境界領域がいずれも、素子分離領域に囲まれた同一の第１導電型の浮遊島領域に形成され、
前記浮遊島領域の周辺部にはリサーフ領域が形成されている高耐圧半導体装置であって、
前記境界領域においては、前記浮遊島領域の周辺部と当該周辺部に挟まれた内側領域とのうち内側領域においてもリサーフ領域が形成されていることを特徴とする高耐圧半導体装置。
【請求項２】
請求項１に記載の高耐圧半導体装置において、
前記境界領域においては、当該境界領域全体にリサーフ領域が形成されていることを特徴とする高耐圧半導体装置。
【請求項３】
請求項１又は２に記載の高耐圧半導体装置において、
前記リサーフ領域は、第２導電型の拡散領域の表面に第１導電型の拡散領域が形成された構造の二重拡散リサーフ領域からなることを特徴とする高耐圧半導体装置。
【請求項４】
請求項３に記載の高耐圧半導体装置において、
前記リサーフ領域のうち前記境界領域に形成されているリサーフ領域は、
前記高電圧回路側に位置し、第２導電型の拡散領域の表面に第１導電型の拡散領域が形成された構造の前記高電圧回路側の二重拡散リサーフ領域と、
前記高耐圧ＭＯＳＦＥＴ側に位置し、第２導電型の拡散領域の表面に第１導電型の拡散領域が形成された構造の前記高耐圧ＭＯＳＦＥＴ側の二重拡散リサーフ領域と、
前記高電圧回路側の二重拡散リサーフ領域と前記高耐圧ＭＯＳＦＥＴ側の二重拡散リサーフ領域との間に位置し、第２導電型の拡散領域のみが形成された構造の一重拡散リサーフ領域とからなることを特徴とする高耐圧半導体装置。
【請求項５】
請求項４に記載の高耐圧半導体装置において、
前記高電圧回路から前記高耐圧ＭＯＳＦＥＴが突出する方向に直交する方向に沿って前記境界領域の幅を計ったとき、前記境界領域の幅は、前記一重拡散リサーフ領域が位置する領域において最も狭いことを特徴とする高耐圧半導体装置。
【請求項６】
請求項１〜５のいずれかに記載の高耐圧半導体装置において、
前記高耐圧半導体装置は、第２導電型の半導体基板と、前記半導体基板の第１主面側に位置する第１導電型のエピタキシャル層と、前記エピタキシャル層の第１主面側から選択的に拡散された第２導電型の表面拡散層とを有する半導体基体に形成されてなり、
前記浮遊島領域は、前記エピタキシャル層における、前記表面拡散層からなる前記素子分離領域に囲まれた領域に形成されてなることを特徴とする高耐圧半導体装置。
【請求項７】
請求項６に記載の高耐圧半導体装置において、
前記高耐圧半導体装置は、第２導電型の半導体基板と、前記半導体基板の第１主面側に位置する第１導電型のエピタキシャル層と、前記エピタキシャル層の第１主面側から選択的に拡散された第２導電型の表面拡散層と、前記表面拡散層が形成された領域における前記半導体基板と前記エピタキシャル層との境界面近傍に位置する第２導電型の埋込拡散層とを有する半導体基体に形成されてなり、
前記浮遊島領域は、前記エピタキシャル層における、前記表面拡散層と前記埋込拡散層とからなる前記素子分離領域に囲まれた領域に形成されてなることを特徴とする高耐圧半導体装置。
【請求項８】
請求項１〜５のいずれかに記載の高耐圧半導体装置において、
前記高耐圧半導体装置は、第２導電型の半導体基板と、前記半導体基板の第１主面側に形成された第１導電型のウェル領域とを有する半導体基体に形成されてなり、
前記浮遊島領域は、前記ウェル領域からなることを特徴とする高耐圧半導体装置。
【請求項９】
請求項６〜８のいずれかに記載の高耐圧半導体装置において、
前記半導体基板における第１主面側とは反対側の第２主面側の表面にはメタル層が形成されていることを特徴とする高耐圧半導体装置。
【発明の詳細な説明】
【技術分野】
【０００１】
本発明は、高耐圧半導体装置に関する。
【背景技術】
【０００２】
従来、高電圧スイッチング素子に高電圧スイッチング素子用制御信号を供給するための高耐圧半導体装置９００が知られている（例えば、特許文献１及び２参照。）。
【０００３】
図１０は、従来の高耐圧半導体装置９００を説明するために示す図である。
【０００４】
従来の高耐圧半導体装置９００は、図１０に示すように、高電圧スイッチング素子に供給する高電圧スイッチング素子用制御信号を生成する高電圧回路９４０と、高電圧回路９４０から突出するように形成され、高電圧回路９４０に供給する高電圧回路用制御信号を生成するための高耐圧ＭＯＳＦＥＴ９５０とを備える。そして、高電圧回路９４０及び高耐圧ＭＯＳＦＥＴ９５０はともに、素子分離領域９６０に囲まれた同一の浮遊島領域９３０に形成されている。高電圧回路９４０及び高耐圧ＭＯＳＦＥＴ９５０の周辺部にはリサーフ領域９２０が形成されている。なお、図１０中、符号９９０は接地参照制御回路を示す。また、図１０中、実線は、実際に特許文献１の図３に記載されている線を示し、二点差線は、説明の都合上追加記載した線を示す。
【０００５】
従来の高耐圧半導体装置９００によれば、高電圧回路９４０及び高耐圧ＭＯＳＦＥＴ９５０がともに同一の浮遊島領域９３０に形成されているため、クロスオーバ導体と厚い絶縁層を設ける必要性がなくなる。
【先行技術文献】
【特許文献】
【０００６】
【特許文献１】特許第３２１４８１８号公報
【特許文献２】特開２００６−１６５０２６号公報
【発明の概要】
【発明が解決しようとする課題】
【０００７】
ところで、電力用の半導体装置の技術分野においては常に従来よりも高い耐圧を有する半導体装置が求められており、高耐圧半導体装置においても例外ではない。
【０００８】
そこで、本発明は、上記した事情に鑑みてなされたもので、従来よりも高い耐圧を有する高耐圧半導体装置を提供することを目的とする。
【課題を解決するための手段】
【０００９】
［１］本発明の高耐圧半導体装置は、高電圧スイッチング素子に供給する高電圧スイッチング素子用制御信号を生成する高電圧回路と、前記高電圧回路から突出するように形成され、前記高電圧回路に供給する高電圧回路用制御信号を生成するための高耐圧ＭＯＳＦＥＴと、前記高電圧回路と前記高耐圧ＭＯＳＦＥＴとの間に位置する境界領域とを備え、前記高電圧回路、前記高耐圧ＭＯＳＦＥＴ及び前記境界領域がいずれも、素子分離領域に囲まれた同一の第１導電型の浮遊島領域に形成され、前記浮遊島領域の周辺部にはリサーフ領域が形成されている高耐圧半導体装置であって、前記境界領域においては、前記浮遊島領域の周辺部と当該周辺部に挟まれた内側領域とのうち内側領域においてもリサーフ領域が形成されていることを特徴とする。
【００１０】
［２］本発明の高耐圧半導体装置において、前記境界領域においては、当該境界領域全体にリサーフ領域が形成されていることが好ましい。
【００１１】
［３］本発明の高耐圧半導体装置において、前記リサーフ領域は、第２導電型の拡散領域の表面に第１導電型の拡散領域が形成された構造の二重拡散リサーフ領域からなることが好ましい。
【００１２】
［４］本発明の高耐圧半導体装置において、前記リサーフ領域のうち前記境界領域に形成されているリサーフ領域は、前記高電圧回路側に位置し、第２導電型の拡散領域の表面に第１導電型の拡散領域が形成された構造の前記高電圧回路側の二重拡散リサーフ領域と、前記高耐圧ＭＯＳＦＥＴ側に位置し、第２導電型の拡散領域の表面に第１導電型の拡散領域が形成された構造の前記高耐圧ＭＯＳＦＥＴ側の二重拡散リサーフ領域と、前記高電圧回路側の二重拡散リサーフ領域と前記高耐圧ＭＯＳＦＥＴ側の二重拡散リサーフ領域との間に位置し、第２導電型の拡散領域のみが形成された構造の一重拡散リサーフ領域とからなることが好ましい。
【００１３】
［５］本発明の高耐圧半導体装置においては、前記高電圧回路から前記高耐圧ＭＯＳＦＥＴが突出する方向に直交する方向に沿って前記境界領域の幅を計ったとき、前記境界領域の幅は、前記一重拡散リサーフ領域が位置する領域において最も狭いことが好ましい。
【００１４】
［６］本発明の高耐圧半導体装置において、前記高耐圧半導体装置は、第２導電型の半導体基板と、前記半導体基板の第１主面側に位置する第１導電型のエピタキシャル層と、前記エピタキシャル層の第１主面側から選択的に拡散された第２導電型の表面拡散層とを有する半導体基体に形成されてなり、前記浮游島領域は、前記エピタキシャル層における、前記表面拡散層からなる前記素子分離領域に囲まれた領域に形成されてなることが好ましい。
【００１５】
［７］本発明の高耐圧半導体装置において、前記高耐圧半導体装置は、第２導電型の半導体基板と、前記半導体基板の第１主面側に位置する第１導電型のエピタキシャル層と、前記エピタキシャル層の第１主面側から選択的に拡散された第２導電型の表面拡散層と、前記表面拡散層が形成された領域における前記半導体基板と前記エピタキシャル層との境界面近傍に位置する第２導電型の埋込拡散層とを有する半導体基体に形成されてなり、前記浮游島領域は、前記エピタキシャル層における、前記表面拡散層と前記埋込拡散層とからなる前記素子分離領域に囲まれた領域に形成されてなることが好ましい。
【００１６】
［８］本発明の高耐圧半導体装置において、前記高耐圧半導体装置は、第２導電型の半導体基板と、前記半導体基板の第１主面側に形成された第１導電型のウェル領域とを有する半導体基体に形成されてなり、前記浮游島領域は、前記ウェル領域からなることが好ましい。
【００１７】
［９］本発明の高耐圧半導体装置において、前記半導体基板における第１主面側とは反対側の第２主面側の表面にはメタル層が形成されていることが好ましい。
【発明の効果】
【００１８】
本発明の高耐圧半導体装置によれば、高電圧回路と高耐圧ＭＯＳＦＥＴとの間に位置する境界領域においては、浮遊島領域の周辺部と当該周辺部に挟まれた内側領域とのうち内側領域においてもリサーフ領域が形成されていることから、境界領域における電界集中を緩和できるようになり、従来よりも高い耐圧を有する高耐圧半導体装置を提供することが可能となる。
また、本発明の高耐圧半導体装置によれば、高電圧回路と高耐圧ＭＯＳＦＥＴとの間に位置する境界領域においては、浮遊島領域の周辺部と当該周辺部に挟まれた内側領域とのうち内側領域においてもリサーフ領域が形成されていることから、エピタキシャル層を通して高電圧回路と高耐圧ＭＯＳＦＥＴとの間を流れる電流を極めて低い値にすることが可能となり、設計時に上記電流を考慮する必要がなくなり、設計期間を短縮できるという効果も得られる。
【図面の簡単な説明】
【００１９】
【図１】パワーデバイス１００の構成を説明するために示すブロック図である。
【図２】高圧側駆動部１３０を説明するために示す回路図である。
【図３】実施形態１に係る高耐圧半導体装置１を説明するために示す図である。
【図４】実施形態１に係る高耐圧半導体装置１を説明するために示す図である。
【図５】比較例に係る高耐圧半導体装置８００を説明するために示す図である。
【図６】実施形態２に係る高耐圧半導体装置２を説明するために示す図である。
【図７】実施形態３に係る高耐圧半導体装置３を説明するために示す図である。
【図８】実施形態４に係る高耐圧半導体装置４を説明するために示す図である。
【図９】実施形態５に係る高耐圧半導体装置５を説明するために示す図である。
【図１０】従来の高耐圧半導体装置９００を説明するために示す図である。
【発明を実施するための形態】
【００２０】
以下、本発明の高耐圧半導体装置について、図に示す実施形態に基づいて説明する。
【００２１】
［実施形態１］
１．実施形態１に係る高耐圧半導体装置１の構成
図１は、パワーデバイス１００の構成を説明するために示すブロック図である。図２は、高圧側駆動部１３０を説明するために示す回路図である。
【００２２】
パワーデバイス１００は、図１に示すように、パワーデバイス駆動装置１１０と、コンデンサＣ１，Ｃ２と、高電圧スイッチング素子としてのＩＧＢＴ１５０，１５２とを備える。パワーデバイス１００は、システムコントロール（図示せず。）から供給される高圧側制御入力ＨＩＮ及び低圧側制御入力ＬＩＮに応じてＩＧＢＴ１５０，１５２をオン又はオフすることで負荷に対して所望の電圧を出力する。
【００２３】
パワーデバイス駆動装置１１０は、ＩＧＢＴ１５０を駆動する高圧側駆動部１３０と、ＩＧＢＴ１５２を駆動する低圧側駆動部１４０と、システムコントロール（図示せず。）から供給される高圧側制御入力ＨＩＮ及び低圧側制御入力ＬＩＮを処理して高圧側駆動部１３０及び低圧側駆動部１４０に向けて出力する制御入力処理部１２０とを備える。パワーデバイス駆動装置１１０は、システムコントロール（図示せず。）から供給される高圧側制御入力ＨＩＮ及び低圧側制御入力ＬＩＮに応じてＩＧＢＴ１５０，１５２をオンオフするためのＩＧＢＴ用制御信号（高電圧スイッチング素子用制御信号）を生成する。パワーデバイス駆動装置１１０は、実施形態１に係る高耐圧半導体装置１を構成する。制御入力処理部１２０、高圧側駆動部１３０及び低圧側駆動部１４０の具体的な構成については後述する。
【００２４】
パワーデバイス駆動装置１１０は、ＩＧＢＴ１５０のエミッタ電極に接続されたＶＳ端子と、コンデンサＣ１を介してＩＧＢＴ１５０のエミッタ電極に接続されたＶＢ端子と、ＩＧＢＴ１５０の制御電極に接続されたＶＨ端子と、ＩＧＢＴ１５２のエミッタ電極に接続されたＣＯＭ端子と、コンデンサＣ２を介してＩＧＢＴ１５２のエミッタ電極に接続されたＶＣＣ端子と、ＩＧＢＴ１５２の制御電極に接続されたＶＬ端子と、ＧＮＤ端子とを備える。ここで、ＶＳは、高圧側駆動部１３０の基準電位となる高圧側浮遊オフセット電位である。また、ＶＢは、高圧側駆動部１３０の電源となる高圧側浮遊供給絶対電位であり、図示しない高圧側浮遊電源から供給される。ＶＨは、高圧側駆動部１３０による高圧側駆動信号出力である。ＣＯＭは、共通接地電位である。ＶＣＣは、低圧側駆動部１４０の電源となる低圧側固定供給電位であり、図示しない低圧側固定供給電源から供給される。ＶＬは、低圧側駆動部１４０による低圧側駆動信号出力である。ＧＮＤは、接地電位である。
【００２５】
コンデンサＣ１，Ｃ２は、高圧側駆動部１３０及び低圧側駆動部１４０に供給される電源電圧をパワーデバイス１００の動作に伴う電位変動に追随させるために設けられている。
【００２６】
ＩＧＢＴ１５０，１５２は、パワーデバイス駆動装置１１０からの高圧側駆動信号出力ＶＨ及び低圧側駆動信号出力ＶＬに応じて高電圧ＨＶをスイッチングする素子である。ＩＧＢＴ１５０，１５２には、ダイオードＤ１、Ｄ２がそれぞれ設置されている。ダイオードＤ１，Ｄ２は、ＩＧＢＴ１５０とＩＧＢＴ１５２との間のノードに接続された負荷による逆起電圧からＩＧＢＴ１５０，１５２を保護する。
【００２７】
制御入力処理部１２０は、ＩＧＢＴ１５０，１５２が同時にオン状態になる等の好ましくない状態が引き起こされることを防ぐ処理を行う。例えば、ＩＧＢＴ１５０，１５２が同時にオン状態になった場合、ＩＧＢＴ１５０，１５２に貫通電流が流れ、負荷に電流が流れなくなる。このため、制御入力処理部１２０は、高圧側駆動部１３０又は低圧側駆動部１４０のいずれかがオフ状態になる信号を供給してＩＧＢＴ１５０，１５２が同時にオン状態になることを防ぐ。
【００２８】
高圧側駆動部１３０は、制御入力処理部１２０を介して供給された高圧側制御入力ＨＩＮに応じてＩＧＢＴ１５０に供給するＩＧＢＴ用制御信号を生成する。高圧側駆動部１３０は、図２に示すように、レベルシフト回路１３２と、制御ロジック回路１３４と、ＣＭＯＳ１３６とを有する。
【００２９】
レベルシフト回路１３２は、高耐圧ＭＯＳＦＥＴ５０及びレベルシフト抵抗Ｒを有する。レベルシフト抵抗Ｒは、ＣＭＯＳ１３６の制御電位ＶＧを設定するためのものであり、プルアップ抵抗に相当する役割を果たす。制御ロジック回路１３４は、抵抗、インバータ及びインターロック等によって構成されている。
【００３０】
制御入力処理部１２０を介して供給された高圧側制御入力ＨＩＮがオフ電位の場合には、高耐圧ＭＯＳＦＥＴ５０がオフ状態となり、高圧側浮遊供給絶対電位ＶＢがＣＭＯＳの制御電位ＶＧとして、制御ロジック回路１３４を介してＣＭＯＳ１３６のｐＭＯＳ及びｎＭＯＳのそれぞれのゲート電極に供給される。一方、制御入力処理部１２０を介して供給された高圧側制御入力ＨＩＮがオン電位の場合には、高耐圧ＭＯＳＦＥＴ５０がオン状態となり、高耐圧ＭＯＳＦＥＴ５０の内部抵抗とレベルシフト抵抗Ｒの抵抗との比率に応じた電圧がＣＭＯＳの制御電位ＶＧとして、制御ロジック回路１３４を介してＣＭＯＳ１３６のｐＭＯＳ及びｎＭＯＳのそれぞれのゲート電極に供給される。これにより、ＣＭＯＳ１３６のスイッチングを行うことが可能となる。
【００３１】
ＣＭＯＳ１３６は、ｐＭＯＳ及びｎＭＯＳからなり、高圧側浮遊供給絶対電位ＶＢと高圧側浮遊オフセット電位ＶＳのいずれかの電位を高圧側駆動信号出力ＶＨとして出力する。
【００３２】
低圧側駆動部１４０も、高圧側駆動部１３０の場合と同様に、ＣＭＯＳ（図示せず）を有し、低圧側固定供給電位ＶＣＣと共通接地電位ＣＯＭのいずれかの電位を低圧側駆動信号出力ＶＬとして出力する。
【００３３】
パワーデバイス駆動装置１１０は、高圧側駆動部１３０からの高圧側駆動信号出力ＶＨをＩＧＢＴ１５０に出力するとともに低圧側駆動部１４０からの低圧側駆動信号出力ＶＬをＩＧＢＴ１５２に出力することで、外部に接続された負荷を適切に駆動することができる。
【００３４】
次に、実施形態１に係る高耐圧半導体装置１を説明する。
図３は、実施形態１に係る高耐圧半導体装置１を説明するために示す図である。なお、図３中、制御ロジック回路１３４及びＣＭＯＳ１３６の図示は省略されている（以下、図９まで同じ。）。また、図３中、表面に形成されている抵抗やメタルなどの構成物の図示も適宜省略されている。
図４は、実施形態１に係る高耐圧半導体装置１を説明するために示す図である。図４（ａ）は高耐圧半導体装置１のうち浮遊島領域３０における部分の平面図であり、図４（ｂ）は図４（ａ）のＡ−Ａ断面図であり、図４（ｃ）は図４（ａ）のＢ−Ｂ断面図である。
【００３５】
実施形態１に係る高耐圧半導体装置１は、図３及び図４に示すように、ＩＧＢＴ（高電圧スイッチング素子）１５０に供給するＩＧＢＴ用制御信号（高電圧スイッチング素子用制御信号）を生成する高電圧回路４０と、高電圧回路４０から突出するように形成され、高電圧回路４０に供給する高電圧回路用制御信号を生成するための高耐圧ＭＯＳＦＥＴ５０と、高電圧回路４０と高耐圧ＭＯＳＦＥＴ５０との間に位置する境界領域６０とを備える。高電圧回路４０、高耐圧ＭＯＳＦＥＴ５０及び境界領域６０はいずれも、素子分離領域２０に囲まれた同一のｎ型（第１導電型）の浮遊島領域３０に形成されており、浮遊島領域３０の周辺部にはリサーフ領域７０が形成されている。
【００３６】
実施形態１に係る高耐圧半導体装置１は、図４（ｂ）及び図４（ｃ）に示すように、ｐ型（第２導電型）の半導体基板１２と、半導体基板１２の第１主面側に位置するｎ型（第１導電型）のエピタキシャル層１４と、エピタキシャル層１４の第１主面側から選択的に拡散されたｐ型（第２導電型）の表面拡散層２２と、表面拡散層２２が形成された領域における半導体基板１２とエピタキシャル層１４との境界面近傍に位置するｐ型（第２導電型）の埋込拡散層２４とを有する半導体基体１０に形成されている。また、浮遊島領域３０は、エピタキシャル層１４における、表面拡散層２２と埋込拡散層２４とからなる素子分離領域２０に囲まれた領域に形成されている。
【００３７】
このように構成された実施形態１に係る高耐圧半導体装置１においては、図４（ｂ）に示すように、境界領域６０において、浮遊島領域３０の周辺部Ａｐと当該周辺部Ａｐに挟まれた内側領域Ａｉとのうち内側領域Ａｉにおいてもリサーフ領域７０が形成されている。
【００３８】
エピタキシャル層１４の厚さは、１０μｍ〜３０μｍの範囲内（例えば２０μｍ）にあり、エピタキシャル層１４の不純物濃度は、１．５×１０１５ｃｍ−３〜１．５×１０１７ｃｍ−３の範囲内（例えば１．５×１０１６ｃｍ−３）にある。半導体基板１２の厚さは、１００μｍ〜５００μｍの範囲内（例えば、３００μｍ）にある。半導体基板１２における第１主面側とは反対側の第２主面側の表面にはメタル層（図示せず。）が形成されている。
【００３９】
素子分離領域２０は、図３に示すように、高圧側駆動部１３０を形成する浮遊島領域３０やその他の回路を形成する別の浮遊島領域（図３中白抜きの四角形で示された領域）を除き、半導体基体１０の第１主面側の全面に形成されている。素子分離領域２０は、上述したように、表面拡散層２２と埋込拡散層２４とからなる。
【００４０】
表面拡散層２２は、半導体基体１０の第１主面側からｐ型の不純物を拡散させることにより形成されるｐ型の領域である。埋込拡散層２４は、表面拡散層２２が形成された領域における半導体基板１２とエピタキシャル層１４との境界面近傍に形成されているｐ型の領域である。埋込拡散層２４は、エピタキシャル層１４を形成する前の半導体基板１２の表面にｐ型不純物を拡散した後にエピタキシャル層１４を形成し、その後処理することにより形成することができる。表面拡散層２２の表面におけるｐ型不純物濃度は１．０×１０１６ｃｍ−３〜１．０×１０１８ｃｍ−３の範囲内（例えば１．０×１０１７ｃｍ−３）にある。また、埋込拡散層２４におけるｐ型不純物濃度は１．０×１０１６ｃｍ−３〜１．０×１０１８ｃｍ−３の範囲内（例えば１．０×１０１７ｃｍ−３）にある。
【００４１】
浮遊島領域３０は、エピタキシャル層１４における、素子分離領域２０に囲まれたｎ型の領域からなる。浮遊島領域３０には、上述したように、高電圧回路４０、高耐圧ＭＯＳＦＥＴ５０及び境界領域６０が形成されている。浮遊島領域３０の周辺部においては、上述したように、リサーフ領域７０が形成されており、高電圧回路４０の周辺部の表面にはリサーフ領域７０を挟んで内側の領域と外側の領域にそれぞれメタル層ＭＨＶ、ＭＧＮＤが配設されている。
【００４２】
高電圧回路４０は、浮遊島領域３０における角が丸みを帯びた長方形の領域に形成され、高耐圧ＭＯＳＦＥＴ５０及び境界領域６０よりも広い面積を有する。高電圧回路４０は、ＩＧＢＴ１５０に供給するＩＧＢＴ用制御信号を生成する。高電圧回路４０は、図２に示すように、レベルシフト回路１３２の一部（高耐圧ＭＯＳＦＥＴ５０を除いた部分）、制御ロジック回路１３４及びＣＭＯＳ１３６を有する。高電圧回路４０の表面にはレベルシフト抵抗Ｒが設けられており、レベルシフト抵抗Ｒの一方端は、メタル層Ｍ１を介して高耐圧ＭＯＳＦＥＴ５０のドレイン電極Ｄに接続され、レベルシフト抵抗Ｒの他方端は、メタル層Ｍ２を介してリサーフ領域７０の内側の領域に配設されたメタル層ＭＨＶに接続されている。なお、図４（ａ）においては、図を簡略化して示すために、ＣＭＯＳ（ｐＭＯＳ及びｃＭＯＳ）の図示が省略されており、図４（ｃ）においては、同様に、ＣＭＯＳ（ｐＭＯＳ及びｃＭＯＳ）の一部のみが図示されている。
【００４３】
高耐圧ＭＯＳＦＥＴ５０は、高電圧回路４０から突出するように形成され、高電圧回路４０に供給する高電圧回路用制御信号を生成する。具体的には、高耐圧ＭＯＳＦＥＴ５０は、接地されているソース電極Ｓと、ソース電極Ｓの下に形成されたｐ型ボディ領域５１と、ｐ型ボディ領域５１の表面に形成されたｎ＋型のソース領域５２及びｐ＋型のオーミック拡散領域５３と、ｐ型ボディ領域５１のチャネル形成領域を覆うようにエピタキシャル層１４の表面に形成されたゲート絶縁層５４と、ゲート絶縁層５４上に形成されたゲート電極層５５と、エピタキシャル層１４の表面に形成されたｎ＋型のドレイン領域５６と、ドレイン電極Ｄとを有する。ドレイン電極Ｄは、レベルシフト抵抗Ｒに向けて延在するメタル層Ｍ１と一体となって形成されている。ｐ型ボディ領域５１とドレイン領域５６との間にはリサーフ領域７０が形成されている。
【００４４】
境界領域６０は、図４（ａ）に示すように、高電圧回路４０と高耐圧ＭＯＳＦＥＴ５０との間に位置する。境界領域６０は、高電圧回路４０から高耐圧ＭＯＳＦＥＴ５０に向かう方向に直交する方向に沿って両側から内側にくびれた形状を有する。このため、高電圧回路４０から高耐圧ＭＯＳＦＥＴ５０に向かう方向に直交する方向に沿って境界領域６０の幅を計ったとき、境界領域６０の幅は同方向に沿った高耐圧ＭＯＳＦＥＴ５０の幅よりも狭い。
【００４５】
リサーフ領域７０は、浮遊島領域３０の周辺部に形成されている。また、リサーフ領域７０は、境界領域６０においては、浮遊島領域３０の周辺部Ａｐと当該周辺部Ａｐに挟まれた内側領域Ａｉとのうち内側領域Ａｉにおいても形成されている。
【００４６】
リサーフ領域７０は、ｎ型の拡散領域のみが形成された構造の一重拡散リサーフ領域である。リサーフ領域７０の表面におけるｐ型不純物濃度は、１．０×１０−１６ｃｍ−３〜１．０×１０−１８ｃｍ−３の範囲内（例えば１．０×１０−１７ｃｍ−３）にある。リサーフ領域７０の深さは、２μｍ〜１０μｍの範囲内（例えば、４μｍ）にある。
【００４７】
ｐ型ボディ領域５１の表面におけるｐ型不純物濃度は、１．０×１０−１６ｃｍ−３〜１．０×１０−１８ｃｍ−３の範囲内（例えば１．０×１０−１７ｃｍ−３）にある。ｐ型ボディ領域５１の深さは、２μｍ〜１０μｍの範囲内（例えば、５μｍ）にある。
【００４８】
ソース領域５２におけるｎ型不純物濃度は、１．０×１０−１９ｃｍ−３〜１．０×１０−２０ｃｍ−３の範囲内（例えば３．０×１０−１９ｃｍ−３）にある。ソース領域５２の深さは、０．５μｍ〜２μｍの範囲内（例えば、１μｍ）にある。
【００４９】
オーミック拡散領域５３におけるｐ型不純物濃度は、１．０×１０−１９ｃｍ−３〜１．０×１０−２０ｃｍ−３の範囲内（例えば３．０×１０−１９ｃｍ−３）にある。オーミック拡散領域５３の深さは、０．５μｍ〜２μｍの範囲内（例えば、１μｍ）にある。
【００５０】
ドレイン領域５６におけるｎ型不純物濃度は、１．０×１０−１９ｃｍ−３〜１．０×１０−２０ｃｍ−３の範囲内（例えば３．０×１０−１９ｃｍ−３）にある。ドレイン領域５６の深さは、０．５μｍ〜２μｍの範囲内（例えば、１μｍ）にある。
【００５１】
２．実施形態１に係る高耐圧半導体装置１の動作
次に、実施形態１に係る高耐圧半導体装置１の動作を説明する。
【００５２】
制御入力処理部１２０を介して供給された高圧側制御入力ＨＩＮがオフ電位の場合には、高耐圧ＭＯＳＦＥＴ５０がオフ状態となり、高圧側浮遊供給絶対電位ＶＢ（例えば６００Ｖ）がそのままＣＭＯＳの制御電位ＶＧとして制御ロジック回路１３４を介してＣＭＯＳ１３６のｐＭＯＳ及びｎＭＯＳのそれぞれのゲート電極に供給される。これにより、ｐＭＯＳがオフ、ｎＭＯＳがオンとなり、高圧側駆動部１３０における高圧側駆動信号出力ＶＨとして高圧側浮遊オフセット電位ＶＳがＩＧＢＴ１５０に出力される。
【００５３】
一方、制御入力処理部１２０を介して供給された高圧側制御入力ＨＩＮがオン電位の場合には、高耐圧ＭＯＳＦＥＴ５０がオン状態となり、高耐圧ＭＯＳＦＥＴ５０の内部抵抗とレベルシフト抵抗Ｒの抵抗との比率に応じた電圧（例えば５９５Ｖ）がＣＭＯＳの制御電位ＶＧとして制御ロジック回路１３４を介してＣＭＯＳ１３６のｐＭＯＳ及びｎＭＯＳのそれぞれのゲート電極に供給される。これにより、ｐＭＯＳがオン、ｎＭＯＳがオフとなり、高圧側駆動部１３０における高圧側駆動信号出力ＶＨとして高圧側浮遊供給絶対電位ＶＢがＩＧＢＴ１５０に出力される。
【００５４】
３．実施形態１に係る高耐圧半導体装置１の効果
図５は、比較例に係る高耐圧半導体装置８００を説明するために示す図である。図５（ａ）は高耐圧半導体装置８００のうち浮遊島領域３０における部分の平面図であり、図５（ｂ）は図５（ａ）のＡ−Ａ断面図であり、図５（ｃ）は図５（ａ）のＢ−Ｂ断面図である。
【００５５】
比較例に係る高耐圧半導体装置８００（高耐圧半導体装置８００の全体図は図示せず。）は、基本的には実施形態１に係る高耐圧半導体装置１と同様の構成を有するが、境界領域におけるリサーフ領域の構成が実施形態１に係る高耐圧半導体装置１の場合とは異なる。
すなわち、比較例に係る高耐圧半導体装置８００においては、図５に示すように、境界領域８６０においては、浮遊島領域８３０の周辺部Ａｐと当該周辺部Ａｐに挟まれた内側領域Ａｉとのうち内側領域Ａｉにおいてはリサーフ領域が形成されていない。
【００５６】
実施形態１に係る高耐圧半導体装置１によれば、高電圧回路４０と高耐圧ＭＯＳＦＥＴ５０との間に位置する境界領域６０においては、浮遊島領域３０の周辺部Ａｐと当該周辺部Ａｐに挟まれた内側領域Ａｉとのうち内側領域Ａｉにおいてもリサーフ領域７０が形成されていることから、境界領域６０における電界集中を緩和できるようになり、従来の高耐圧半導体装置（比較例に係る高耐圧半導体装置８００（図５参照。））よりも高い耐圧を有する高耐圧半導体装置を提供することが可能となる。
【００５７】
また、実施形態１に係る高耐圧半導体装置１によれば、高電圧回路４０と高耐圧ＭＯＳＦＥＴ５０との間に位置する境界領域６０においては、浮遊島領域３０の周辺部Ａｐと当該周辺部Ａｐに挟まれた内側領域Ａｉとのうち内側領域Ａｉにおいてもリサーフ領域７０が形成されていることから、エピタキシャル層１４を通して高電圧回路４０と高耐圧ＭＯＳＦＥＴ５０との間を流れる電流を極めて低い値にすることが可能となり、設計時に上記電流を考慮する必要がなくなり、従来の高耐圧半導体装置（比較例に係る高耐圧半導体装置８００（図５参照。））の場合よりも設計期間を短縮できるという効果も得られる。
【００５８】
また、実施形態１に係る高耐圧半導体装置１によれば、高電圧回路４０から高耐圧ＭＯＳＦＥＴ５０に向かう方向に直交する方向に沿って境界領域６０の幅を計ったとき、境界領域６０の幅は、同じ方向に沿った高耐圧ＭＯＳＦＥＴ５０の幅よりも狭いため、半導体基体１０を通して高電圧回路４０と高耐圧ＭＯＳＦＥＴ５０との間を流れる電流を、従来の高耐圧半導体装置９００と比較して少なくすることが可能となる。その結果、高耐圧半導体装置の消費電力や発熱量を減少させることが可能となり、高い性能を有する高耐圧半導体装置とすることが可能となる。
【００５９】
また、実施形態１に係る高耐圧半導体装置１によれば、素子分離領域２０において埋込拡散層２４を有することから、降伏点を素子の表面から素子の内部に移すことが可能となる。その結果、降伏電圧を超えた電圧が印加された場合に、従来よりも広い範囲で分散して熱を発生させることが可能となり、従来の高耐圧半導体装置よりも素子が破壊され難い高耐圧半導体装置とすることが可能となる。
【００６０】
また、実施形態１に係る高耐圧半導体装置１によれば、半導体基板１２における第１主面側とは反対側の第２主面側の表面にはメタル層が形成されているため、境界領域６０において、降伏電圧を超えた電圧が印加された場合に、素子の内部に移された降伏点から発生する熱を効率よく外部に放出することが可能となる。
【００６１】
［実施形態２］
図６は、実施形態２に係る高耐圧半導体装置２を説明するために示す図である。図６（ａ）は浮遊島領域３０における高耐圧半導体装置２の平面図であり、図６（ｂ）は図６（ａ）のＡ−Ａ断面図であり、図６（ｃ）は図６（ａ）のＢ−Ｂ断面図である。
【００６２】
実施形態２に係る高耐圧半導体装置２（高耐圧半導体装置２の全体図は図示せず。）は、基本的には実施形態１に係る高耐圧半導体装置１と同様の構成を有するが、リサーフ領域の構成が実施形態１に係る高耐圧半導体装置１の場合とは異なる。
すなわち、実施形態２に係る高耐圧半導体装置２においては、図６に示すように、リサーフ領域７１は、ｐ−型拡散領域（第２導電型の拡散領域）７１Ｌの表面にｎ型拡散領域（第１導電型の拡散領域）７１Ｕが形成された構造の二重拡散リサーフ領域からなる。
【００６３】
ｐ−型拡散領域７１Ｌにおけるｐ型不純物濃度は、１．０×１０−１６ｃｍ−３〜１．０×１０−１８ｃｍ−３の範囲内（例えば１．０×１０−１７ｃｍ−３）にある。ｐ−型拡散領域７１Ｌの深さは、１μｍ〜３μｍの範囲内（例えば、２μｍ）にある。
【００６４】
ｎ型拡散領域ＬＵにおけるｎ型不純物濃度は、１．０×１０−１７ｃｍ−３〜１．０×１０−１９ｃｍ−３の範囲内（例えば１．０×１０−１８ｃｍ−３）にある。ｎ型拡散領域７１Ｕの深さは、０．５μｍ〜１．５μｍの範囲内（例えば、１μｍ）にある。
【００６５】
このように、実施形態２に係る高耐圧半導体装置２は、リサーフ領域の構成が実施形態１に係る高耐圧半導体装置１の場合とは異なるが、実施形態１に係る高耐圧半導体装置１の場合と同様に、高電圧回路４０と高耐圧ＭＯＳＦＥＴ５０との間に位置する境界領域６０においては、浮遊島領域３０の周辺部Ａｐと当該周辺部Ａｐに挟まれた内側領域Ａｉとのうち内側領域Ａｉにおいてもリサーフ領域（リサーフ領域７１）が形成されていることから、実施形態１に係る高耐圧半導体装置１の場合と同様の効果を有する。すなわち、境界領域６０における電界集中を緩和できるようになり、従来よりも高い耐圧を有する高耐圧半導体装置を提供することが可能となる。また、エピタキシャル層１４を通して高電圧回路４０と高耐圧ＭＯＳＦＥＴ５０との間を流れる電流を極めて低い値にすることが可能となり、設計時に上記電流を考慮する必要がなくなり、設計期間を短縮できる。
【００６６】
また、実施形態２に係る高耐圧半導体装置２によれば、リサーフ領域７１は、ｐ型拡散領域（第２導電型の拡散領域）７１Ｌの表面にｎ型拡散領域（第１導電型の拡散領域）７１Ｕが形成された構造の二重拡散リサーフ領域からなることから、高耐圧ＭＯＳＦＥＴ５０の電流密度を高められるので、より小さなサイズの高耐圧半導体装置にすることが可能であるという効果も得られる。
【００６７】
なお、実施形態２に係る高耐圧半導体装置２は、リサーフ領域の構成以外の点については実施形態１に係る高耐圧半導体装置１と同様の構成を有するため、実施形態１に係る高耐圧半導体装置１が有する効果のうち該当する効果を有する。
【００６８】
［実施形態３］
図７は、実施形態３に係る高耐圧半導体装置３を説明するために示す図である。図７（ａ）は浮遊島領域３０における高耐圧半導体装置３の平面図であり、図７（ｂ）は図７（ａ）のＡ−Ａ断面図及びＢ−Ｂ断面図であり、図７（ｃ）は図７（ａ）のＣ−Ｃ断面図である。
【００６９】
実施形態３に係る高耐圧半導体装置３（高耐圧半導体装置３の全体図は図示せず。）は、基本的には実施形態２に係る高耐圧半導体装置２と同様の構成を有するが、境界領域におけるリサーフ領域の構成が実施形態２に係る高耐圧半導体装置２の場合とは異なる。
すなわち、実施形態３に係る高耐圧半導体装置３においては、図７に示すように、リサーフ領域７２のうち境界領域６０に形成されているリサーフ領域７２は、高電圧回路４０側に位置し、ｐ型（第２導電型）の拡散領域７２ａＬの表面にｎ型（第１導電型）の拡散領域７２ａＵが形成された構造の高電圧回路４０側の二重拡散リサーフ領域７２ａと、高耐圧ＭＯＳＦＥＴ５０側に位置し、ｐ型（第２導電型）の拡散領域７２ｂＬの表面にｎ型（第１導電型）の拡散領域７２ｂＵが形成された構造の高耐圧ＭＯＳＦＥＴ５０側の二重拡散リサーフ領域７０ｂと、高電圧回路４０側の二重拡散リサーフ領域７２ａと高耐圧ＭＯＳＦＥＴ５０側の二重拡散リサーフ領域７２ｂとの間に位置し、ｐ型（第２導電型）の拡散領域のみが形成された構造の一重拡散リサーフ領域７２ｃとからなる。
【００７０】
このように、実施形態３に係る高耐圧半導体装置３は、境界領域におけるリサーフ領域の構成が実施形態２に係る高耐圧半導体装置２の場合とは異なるが、実施形態２に係る高耐圧半導体装置２の場合と同様に、高電圧回路４０と高耐圧ＭＯＳＦＥＴ５０との間に位置する境界領域６０においては、浮遊島領域３０の周辺部Ａｐと当該周辺部Ａｐに挟まれた内側領域Ａｉとのうち内側領域Ａｉにおいてもリサーフ領域（リサーフ領域７２）が形成されていることから、実施形態２に係る高耐圧半導体装置２の場合と同様の効果を有する。すなわち、境界領域６０における電界集中を緩和できるようになり、従来よりも高い耐圧を有する高耐圧半導体装置を提供することが可能となる。また、エピタキシャル層１４を通して高電圧回路４０と高耐圧ＭＯＳＦＥＴ５０との間を流れる電流を極めて低い値にすることが可能となり、設計時に上記電流を考慮する必要がなくなり、設計期間を短縮できる。
【００７１】
また、実施形態３に係る高耐圧半導体装置３によれば、リサーフ領域７２のうち境界領域６０に形成されているリサーフ領域７２が、高電圧回路４０側の二重拡散リサーフ領域７２ａと、高耐圧ＭＯＳＦＥＴ５０側の二重拡散リサーフ領域７０ｂと、高電圧回路４０側の二重拡散リサーフ領域７２ａと高耐圧ＭＯＳＦＥＴ５０側の二重拡散リサーフ領域７２ｂとの間に位置する一重拡散リサーフ領域７２ｃとからなることから、境界領域６０における電界集中をより一層緩和できるようになり、実施形態２に係る高耐圧半導体装置２よりも高い耐圧を有する高耐圧半導体装置を提供することが可能となる。また、半導体基体１０を通して高電圧回路４０と高耐圧ＭＯＳＦＥＴ５０との間を流れる電流をより一層低い値にすることが可能となるという効果も得られる。
【００７２】
なお、実施形態３に係る高耐圧半導体装置３は、境界領域におけるリサーフ領域の構成以外の点については実施形態２に係る高耐圧半導体装置２と同様の構成を有するため、実施形態２に係る高耐圧半導体装置２が有する効果のうち該当する効果を有する。
【００７３】
［実施形態４］
図８は、実施形態４に係る高耐圧半導体装置４を説明するために示す図である。図８（ａ）は浮遊島領域３０における高耐圧半導体装置４の平面図であり、図８（ｂ）は図８（ａ）のＡ−Ａ断面図及びＢ−Ｂ断面図であり、図８（ｃ）は図８（ａ）のＣ−Ｃ断面図である。
【００７４】
実施形態４に係る高耐圧半導体装置４（高耐圧半導体装置４の全体図は図示せず。）は、基本的には実施形態３に係る高耐圧半導体装置３と同様の構成を有するが、境界領域におけるリサーフ領域の構成が実施形態３に係る高耐圧半導体装置３の場合とは異なる。
すなわち、実施形態４に係る高耐圧半導体装置４においては、図８に示すように、境界領域６０全体にリサーフ領域７３が形成されている。
【００７５】
このように、実施形態４に係る高耐圧半導体装置４は、境界領域におけるリサーフ領域の構成が実施形態３に係る高耐圧半導体装置３の場合とは異なるが、実施形態３に係る高耐圧半導体装置３の場合と同様に、高電圧回路４０と高耐圧ＭＯＳＦＥＴ５０との間に位置する境界領域６０においては、浮遊島領域３０の周辺部Ａｐと当該周辺部Ａｐに挟まれた内側領域Ａｉとのうち内側領域Ａｉにおいてもリサーフ領域（リサーフ領域７３）が形成されていることから、実施形態３に係る高耐圧半導体装置３の場合と同様の効果を有する。すなわち、境界領域６０における電界集中を緩和できるようになり、従来よりも高い耐圧を有する高耐圧半導体装置を提供することが可能となる。また、エピタキシャル層１４を通して高電圧回路４０と高耐圧ＭＯＳＦＥＴ５０との間を流れる電流を極めて低い値にすることが可能となり、設計時に上記電流を考慮する必要がなくなり、設計期間を短縮できる。
【００７６】
また、実施形態４に係る高耐圧半導体装置４によれば、境界領域６０全体にリサーフ領域７３が形成されていることから、境界領域６０における電界集中をより一層緩和できるようになり、実施形態３に係る高耐圧半導体装置３よりも高い耐圧を有する高耐圧半導体装置を提供することが可能となる。また、半導体基体１０を通して高電圧回路４０と高耐圧ＭＯＳＦＥＴ５０との間を流れる電流をより一層低い値にすることが可能となるという効果も得られる。
【００７７】
なお、実施形態４に係る高耐圧半導体装置４は、境界領域におけるリサーフ領域の構成以外の点については実施形態３に係る高耐圧半導体装置３と同様の構成を有するため、実施形態３に係る高耐圧半導体装置３が有する効果のうち該当する効果を有する。
【００７８】
［実施形態５］
図９は、実施形態５に係る高耐圧半導体装置５を説明するために示す図である。図９（ａ）は浮遊島領域３０における高耐圧半導体装置５の平面図であり、図９（ｂ）は図９（ａ）のＡ−Ａ断面図であり、図９（ｃ）は図９（ａ）のＢ−Ｂ断面図である。
【００７９】
実施形態５に係る高耐圧半導体装置５（高耐圧半導体装置５の全体図は図示せず。）は、基本的には実施形態１に係る高耐圧半導体装置１と同様の構成を有するが、高耐圧半導体装置が形成される半導体基体の構成が実施形態１に係る高耐圧半導体装置１の場合とは異なる。
すなわち、実施形態５に係る高耐圧半導体装置５は、図９に示すように、ｐ型（第２導電型）の半導体基板１２と、半導体基板１２の第１主面側に形成されたｎ型（第１導電型）のウェル領域１６とを有する半導体基体１０に形成されてなる。
【００８０】
このように、実施形態５に係る高耐圧半導体装置５は、高耐圧半導体装置が形成される半導体基体の構成が実施形態１に係る高耐圧半導体装置１の場合とは異なるが、実施形態１に係る高耐圧半導体装置１の場合と同様に、高電圧回路４０と高耐圧ＭＯＳＦＥＴ５０との間に位置する境界領域６０においては、浮遊島領域３０の周辺部Ａｐと当該周辺部Ａｐに挟まれた内側領域Ａｉとのうち内側領域Ａｉにおいてもリサーフ領域（リサーフ領域７４）が形成されていることから、実施形態１に係る高耐圧半導体装置１の場合と同様の効果を有する。すなわち、境界領域６０における電界集中を緩和できるようになり、従来よりも高い耐圧を有する高耐圧半導体装置を提供することが可能となる。また、ウェル領域１６を通して高電圧回路４０と高耐圧ＭＯＳＦＥＴ５０との間を流れる電流を極めて低い値にすることが可能となり、設計時に上記電流を考慮する必要がなくなり、設計期間を短縮できる。
【００８１】
また、実施形態５に係る高耐圧半導体装置５によれば、ｐ型（第２導電型）の半導体基板１２と、半導体基板１２の第１主面側に形成されたｎ型（第１導電型）のウェル領域１６とを有する半導体基体１０に形成されてなることから、より安価な半導体基板を用いて安価な製造コストで高耐圧半導体装置が製造可能となるという効果も得られる。
【００８２】
なお、実施形態５に係る高耐圧半導体装置５は、高耐圧半導体装置が形成される半導体基体の構成以外の点については実施形態１に係る高耐圧半導体装置１と同様の構成を有するため、実施形態１に係る高耐圧半導体装置１が有する効果のうち該当する効果を有する。
【００８３】
以上、本発明を上記の実施形態に基づいて説明したが、本発明は上記の実施形態に限定されるものではない。その趣旨を逸脱しない範囲において種々の態様において実施することが可能であり、例えば、次のような変形も可能である。
【００８４】
（１）実施形態１〜４においては、表面拡散層２２が形成された領域における半導体基板１２とエピタキシャル層１４との境界面近傍にｐ型の埋込拡散層２４が形成されている半導体基体１０に高耐圧半導体装置が形成されているが、本発明はこれに限定されるものではない。例えば、表面拡散層２２が形成された領域における半導体基板１２とエピタキシャル層１４との境界面近傍にｐ型の埋込拡散層２４が形成されていない半導体基体に高耐圧半導体装置が形成されていてもよい。
【符号の説明】
【００８５】
１…高耐圧半導体装置、１０，８１０…半導体基体、１２，８１２…半導体基板、１４，８１４…エピタキシャル層、１６…ウェル領域、２０，８２０…素子分離領域、２２，８２２…表面拡散層、２４，８２４…埋込拡散層、３０，８３０…浮游島領域、４０，８４０…高電圧回路、４２，８４２…ＣＭＯＳ形成領域、５０，８５０…高耐圧ＭＯＳＦＥＴ、５１，８５１…ｐ型ボディ領域、５２，８５２…ソース領域、５３，８５３…オーミック拡散領域、５４，８５４…ゲート絶縁層、５５，８５５…ゲート電極層、５６，８５６…ドレイン領域、６０，６０…境界領域、７０，７１，７２，７３，７４，８７０…リサーフ領域、７１Ｌ…ｐ型拡散領域、７１Ｕ…ｎ型拡散領域、７２ａ，７３ａ…高電圧回路側リサーフ領域、７２ｂ，７３ｂ…高耐圧ＭＯＳＦＥＴ側リサーフ領域、７２ｃ、７３ｃ…一重拡散リサーフ領域、７２ｂＬ、７３ｂＬ…高耐圧ＭＯＳＦＥＴ側ｐ型拡散領域、７２ｂＵ、７３ｂＵ…高耐圧ＭＯＳＦＥＴ側ｎ型拡散領域、１００…パワーデバイス、１１０…パワーデバイス駆動装置、１２０…制御入力処理部、１３０…高圧側駆動部、１３２…レベルシフト回路、１３４…制御ロジック回路、１３６…ＣＭＯＳ、１４０…低圧側駆動部、１５０，１５２…ＩＧＢＴ、Ａｐ…周辺領域、Ａｉ…内側領域、Ｃ１，Ｃ２…コンデンサ、Ｄ１，Ｄ２…ダイオード、Ｍ１，Ｍ２、ＭＨＶ、ＭＧＮＤ…メタル層、Ｒ…レベルシフト用抵抗、Ｒｅｐｉ…エピタキシャル層を介した抵抗、ＲＮ…（ｎ型の）ウェル領域を介した抵抗
【図１】
2014045045.tif 000003
【図２】
2014045045.tif 000004
【図３】
2014045045.tif 000005
【図４】
2014045045.tif 000006
【図５】
2014045045.tif 000007
【図６】
2014045045.tif 000008
【図７】
2014045045.tif 000009
【図８】
2014045045.tif 000010
【図９】
2014045045.tif 000011
【図１０】
2014045045.tif 000012